(57)【要約】【課題】屋根の谷部から流れ込んだ雨水が内曲り樋のコーナ中央帯域に集中して流れ込んでも水漏れが生じないようにできる。【解決手段】屋根１の入隅部に配置される内曲り樋２である。平面視Ｌ状をした内曲り樋２の内面のコーナ部の内曲り樋２の出隅側から入隅側にかけたコーナ中央帯域３の両側に沿って水返し用突条４を突設する。【選択図】        図１
2004257091.tif 000002
【特許請求の範囲】
【請求項１】
屋根の入隅部に配置される内曲り樋において、平面視Ｌ状をした内曲り樋の内面のコーナ部の内曲り樋の出隅側から入隅側にかけたコーナ中央帯域の両側に沿って水返し用突条を突設して成ることを特徴とする内曲り樋の構造。
【請求項２】
平面視Ｌ状をした内曲り樋の内面のコーナ部の内曲り樋の出隅側から入隅側にかけたコーナ中央帯域が内曲り樋の内面の他の部位よりも上方に突出した凸帯部となり、該凸帯部の両側に沿って水返し用突条を突設し、該水返し用突条を上に行くほど内曲り樋のコーナから離れる方向となるように傾斜させたことを特徴とする請求項１記載の内曲り樋の構造。
【発明の詳細な説明】
【０００１】
【発明の属する技術分野】
本発明は、屋根の入隅部に配置される内曲り樋における水漏れ防止のための技術に関するものである。
【０００２】
【従来の技術】
従来から屋根の入隅部に配置される内曲り樋には屋根の谷部に流れ込んだ雨水が屋根の入隅部から流れ込むのであるが、この場合、谷部の延長線上に位置する内曲り樋の内面のコーナ部の内曲り樋の出隅側から入隅側にかけたコーナ中央帯域に集中して勢いよく流れ込む。
【０００３】
このように内曲り樋のコーナ中央帯域に集中して雨水が流れ込むと、内曲り樋の内面に沿って雨水が勢いよく流れて内曲り樋を乗り越えたり、あるいは内曲り樋と継手との接続部分から雨水が漏れるおそれがある。特に、内曲り樋と継手との接続部分において内曲りの上端部の耳部においては接着しない場合があり、このような場合には耳部の接着してない部分から水漏れが生じ易いものである。
【０００４】
上記のように内曲り樋のコーナ中央帯域に集中して雨水が流れ込む雨水の水返しの技術として従来から内曲り樋の内部の入り隅に水返しを設けたものがある。（例えば特許文献１参照）
ところで、屋根の谷部から内曲り樋のコーナ中央帯域に集中して流れ込んだ雨水は、該内曲り樋のコーナ中央帯域を出隅側から入隅側に向けて流れて内曲り樋の入隅の両側の前側片の内面に沿って左右に分流し、そのまま前側片の内面に沿って勢いよく流れ、入隅の両側の前側片の内面に沿って左右に分流した雨水が左右に分流した勢いにのって入隅の両側の前側片の内面に沿って左右方向に流れながら上昇して水漏れが生じるのであるが、上記特許文献１に示された従来例においては内曲り樋の入隅において雨水が上方に上昇しないように水切りしているのみで、上記のように入隅の両側の前側片の内面に沿って左右に分流した雨水が左右に分流した勢いにのって入隅の両側の前側片の内面に沿って左右方向に流れながら上昇するのは防止できず、内曲り樋の入隅の前側片の左右端部側における水漏れ、特に内曲り樋と軒樋との接続部分における水漏れを防止することはできないという問題があった。
【０００５】
【特許文献１】
特開平７−３１７２４２号公報
【０００６】
【発明が解決しようとする課題】
本発明は上記の点に鑑みてなされたものであり、屋根の谷部から流れ込んだ雨水が内曲り樋のコーナ中央帯域に集中して流れ込んでも水漏れが生じないようにできる内曲り樋の構造を提供することを課題とするものである。
【０００７】
【課題を解決するための手段】
上記課題を解決するために本発明に係る内曲り樋の構造は、屋根１の入隅部に配置される内曲り樋２において、平面視Ｌ状をした内曲り樋２の内面のコーナ部の内曲り樋２の出隅側から入隅側にかけたコーナ中央帯域３の両側に沿って水返し用突条４を突設して成ることを特徴とするものである。このような構成とすることで、屋根の谷部から内曲り樋２のコーナ中央帯域３に集中して流れ込んだ雨水はコーナ中央帯域３の両側から入隅の両側方に向かって流れ出る際に水返し用突条４を乗り越えて流れ出ることで、流速が減じられコーナの入隅の両側に至っても入隅のコーナの両側内面に沿って上昇する高さが高くならず、水漏れを防止できることになる。
【０００８】
また、平面視Ｌ状をした内曲り樋２の内面のコーナ部の内曲り樋２の出隅側から入隅側にかけたコーナ中央帯域３が内曲り樋２の内面の他の部位よりも上方に突出した凸帯部５となり、該凸帯部５の両側に沿って水返し用突条４を突設し、該水返し用突条４を上に行くほど内曲り樋２のコーナから離れる方向となるように傾斜させることが好ましい。このような構成とすることで、コーナ中央帯域３から両側に分流する際に、上記のように水返し用突条４を設けて水勢を減じてコーナ中央帯域３からそのまま勢いよく内曲り樋２の内面に沿って流れないようにできるだけでなく、このように水返し用突条４を設けて水勢を減じるようにしたにもかかわらず、乱流とならず、スムーズに軒樋側に流すことができるものである。
【０００９】
【発明の実施の形態】
以下、本発明を添付図面に示す実施形態に基づいて説明する。
【００１０】
平面視Ｌ状をした内曲り樋２は軒樋７と同じ断面形状をしており、図１、図２に示すように底片１０の前後両端からそれぞれ前側片１１、後側片１２を突出した縦断面略Ｕ字状をしており、前側片１１は後側片１２よりも上方への突出長さが長くなっている。内曲り樋２の前側片１１の外面には軒樋７の前側片に形成した凹凸模様部と同様の凹凸模様部９が形成してある。また、内曲り樋２の前側片１１の上端部、後側片１２の上端部にはそれぞれ軒樋７と同様に耳部１３が形成してある。この前後の耳部１３はいずれも軒樋７の耳部と同様に内面側に向けて突出しており、耳部１３の突出基部に軒樋７の耳部と同様にはめ込み溝部１５が形成してある。
【００１１】
この内曲り樋２は合成樹脂により一体に形成してもよく、あるいは軒樋７を一定の長さに切断し、後側片を残して前側片、底片にわたって平面視でＶ字状にカットし、Ｖ字状にカットした端面同士を突き合わせて接着すると共に突き合わせ部分の内面側に沿って帯状接続部材９を接着したり、あるいは軒樋７を一定の長さに切断すると一端部が平面視で４５°となるようにカットし、カットした端面同士を突き合わせて接着すると共に突き合わせ部分の内面側に沿って帯状接続部材９を接着したりすることで平面視Ｌ状に形成してある。
【００１２】
上記のような構成の内曲り樋２内面のコーナ部には内曲り樋２の出隅側から入隅側にかけたコーナ中央帯域３の両側に沿って水返し用突条４を突設してある。内曲り樋２の内面のコーナ部分のコーナ中央帯域３は内曲り樋２の内面の他の部位よりも上方に突出した凸帯部５となっており、図１乃至図３に示す実施形態においては、内曲り樋２のコーナの両側の部分を接着一体化ための部材である帯状接続部材９が凸帯部５を構成している。なお、内曲り樋２を合成樹脂の一体成形により形成する場合には内曲り樋２の内面のコーナ部分に出隅側から入隅側にかけたコーナ中央帯域３に凸帯部５が一体に形成される。
【００１３】
凸帯部５の両側に沿って（つまり両側の内曲り樋２の出隅側から入隅側にかけて）水返し用突条４を突設してある。
【００１４】
水返し用突条４は図３に示すように水返し用突条４を上に行くほど内曲り樋２のコーナから離れる方向となるように傾斜させてある（つまり、水返し用突条４は上に行くほど平面視でコーナ中央帯域３から離れる方向となるように傾斜させてある）。
【００１５】
上記の構成の内曲り樋２は図４に示すように屋根１の入隅部に配置されるものであり、両端部がそれぞれ軒樋７の長手方向の端部に内継手８を介して接続される。内継手８は片側半部を平面視Ｌ状をした内曲り樋２の一端部内にはめ込んで接着し、他の片側半部を軒樋７の端部内面にはめ込んで接着することで、該内継手８を介して内曲り樋２と軒樋７とを接続するものである。
【００１６】
この場合、内曲り樋２と軒樋７とはそれぞれ前側片１１の外面に凹凸模様部９を形成してあり、この凹凸模様部９が連続して見えるようにするため内曲り樋２と軒樋７は内面部に内継手８をはめ込んで接着して接続するようにしている。そして、内継手８は上記のように片側半部を平面視Ｌ状をした内曲り樋２の一端部内に沿わせてはめ込んで両端を内側に突出した耳部１３の突出基部のはめ込み溝部１５にはめ込むと共に接着剤により接着する。ここで接着剤による接着部分は図５においてイで示すように耳部１３部分よりも下の領域である。
【００１７】
しかして、屋根１の谷部２０から内曲り樋２に流れ込む雨水は内曲り樋２の内面のコーナ部のコーナ中央帯域３に集中して流れ込む。このように内曲り樋２の内面のコーナ部のコーナ中央帯域３に集中して流れ込んだ雨水は、該内曲り樋２のコーナ中央帯域３を出隅側から入隅側に向けて流れて内曲り樋２の入り隅の両側に矢印ロのように分流する際、これを断面で説明するとコーナ中央帯域３の両側に設けた水返し用突条４を乗り越えてながら図３の矢印のように分流することとなり、コーナ中央帯域３の両側に分流した直後に直接内曲り樋２の内面に沿うことなく水返し用突条４により斜め上方に向けられ、これにより、雨水の勢いが減じられて雨水が内曲り樋２のコーナ中央帯域３から入隅の両側の前側片１１の内面に沿って勢いよく流れるのを防止し、これにより入隅の両側の前側片１１の内面における上記コーナ中央帯域３に流れ込んだ雨水の流れ高さが低くできるものである。
【００１８】
ちなみに、コーナ中央帯域３の両側に水返し用突条４が無い場合、図６の矢印のように分流する際、コーナ中央帯域３の両側から内曲り樋２の内面に沿って勢いを増しながら流れるので、入隅の両側の前側片１１の内面を沿って勢いよく流れ上がり、入隅の両側の前側片１１の内面における雨水の流れ上がり高さが高くなるが、本発明においては上記のように水返し用突条４を乗り越えてながら図３の矢印ロ方向に分流するため入隅の両側の前側片１１の内面における雨水の流れ高さを低くできるものであり、具体的に言えば、上記図３に示すように水返し突条４を設けないものにおける入隅の両側の前側片１１の内面における雨水の流れ高さ位置は図２のニであるが、本発明のように水返し用突条４を設けて勢いを減じるものにおける入隅の両側の前側片１１の内面における雨水の流れ高さ位置は図２のホである。
【００１９】
このように本発明においては入隅の両側の前側片１１の内面における雨水の流れ高さ位置を低くできるので、前側片１１の内面に沿って上昇しながら流れる雨水が前側片１１を乗り越えたり、あるいは内継手８を介して接続する内曲り樋２と軒樋７との接続部分から水漏れするおそれがないものであり、特に、上記した実施形態のように内継手８による接着接続が耳部１３よりも下方の領域でしか接着していないものにおいては、前側片１１の内面に沿って流れる雨水の流れ高さが高いと耳部１３と内継手８との間から水漏れするが、本発明においてはこのような水漏れのおそれがない。
【００２０】
また、内曲り樋２の内面のコーナ部の内曲り樋２の出隅側から入隅側にかけたコーナ中央帯域３が内曲り樋２の内面の他の部位よりも上方に突出した凸帯部５となっていることで、内曲り樋２の内面と水返し用突条４の上端との間の上下方向の寸法が大きく取れていっそうコーナ中央帯域３から両側に分流した直後の雨水が内曲り樋２の内面に沿って流れにくくなるものである。
【００２１】
また、水返し用突条４は上に行くほど内曲り樋２のコーナから離れる方向となるように傾斜しているので、コーナ中央帯域３に流れ込んだ雨水が傾斜した水返し用突条４にそって斜め上方にガイドされながら両側に分流することになり、水返し用突条４を設けて雨水の勢いを減じるようにしたにもかかわらず、乱流とならず、スムーズに軒樋７側に流すことができるものである。
【００２２】
【発明の効果】
上記のように本発明の請求項１記載の発明にあっては、屋根の入隅部に配置される内曲り樋において、平面視Ｌ状をした内曲り樋の内面のコーナ部の内曲り樋の出隅側から入隅側にかけたコーナ中央帯域の両側に沿って水返し用突条を突設してあるので、屋根の谷部から内曲り樋のコーナ中央帯域に集中して流れ込んだ雨水はコーナ中央帯域の両側から入隅の両側方に向かって流れ出る際に水返し用突条を乗り越えて流れ出ることで、流速が減じられコーナの入隅の両側に至っても入隅のコーナの両側内面に沿って上昇する高さが高くならず、水漏れを防止できるものである。
【００２３】
また、請求項２記載の発明にあっては、上記請求項１記載の発明の効果に加えて、平面視Ｌ状をした内曲り樋の内面のコーナ部の内曲り樋の出隅側から入隅側にかけたコーナ中央帯域が内曲り樋の内面の他の部位よりも上方に突出した凸帯部となり、該凸帯部の両側に沿って水返し用突条を突設し、該水返し用突条を上に行くほど内曲り樋のコーナから離れる方向となるように傾斜させたので、雨水を内曲り樋の内面よりも高い位置から水返し用突条に沿って内曲り樋内において斜め上方に向けて流すことで、コーナ中央帯域から両側に分流する際に、水返し用突条を設けて水勢を減じてコーナ中央帯域からそのまま勢いよく内曲り樋の内面に沿って流れないようにできるだけでなく、このように水返し用突条を設けて水勢を減じるようにしたにもかかわらず、乱流とならず、スムーズに軒樋側に流すことができて、いっそう水漏れを防止できるものである。
【図面の簡単な説明】
【図１】本発明の内曲り樋の平面図である。
【図２】同上の側面図である。
【図３】同上の図１のＸ−Ｘ線の断面図である。
【図４】同上の施工状態の平面図である。
【図５】同上の内曲り樋と軒樋とを内継手で接続した部分の縦断面図である。
【図６】従来の問題点を示す説明図である。
【符号の説明】
１  屋根
２  内曲り樋
３  コーナ中央帯域
４  水返し用突条
５  凸帯部
【図１】
2004257091.tif 000003
【図２】
2004257091.tif 000004
【図３】
2004257091.tif 000005
【図４】
2004257091.tif 000006
【図５】
2004257091.tif 000007
【図６】
2004257091.tif 000008